(57)【要約】【課題】開閉機構のためのスペースが少なく済み、脱落、破損がなく、内容物の出し入れが容易であり、開閉の品位感が良い上に、開閉の検出スイッチの動作信頼性に優れた蓋体装置を提供する。【解決手段】機器本体部１と蓋体部１０との連結に、中央にヒンジ部１５ａを有し、背面キャビネット３に対してスライド自在に保持された弾性連結部材１５を用い、弾性連結部材１５に一体形成した凸部により、蓋体部１０の姿勢を検出する検出スイッチを駆動するように構成した。これにより、電子機器の小型化、薄型化を図ることができながら、信頼性が高く、開閉操作がし易い上、品位に優れた蓋体装置が得られる。【選択図】    図６
2004231191.tif 000002
【特許請求の範囲】
【請求項１】
略薄肉板状で弾性を有する弾性連結部材と、この弾性連結部材の一端側が固定された蓋体部と、前記弾性連結部材の他端側を第１位置から第２位置までスライド自在に支持する機器本体部と、第１位置では蓋体部に係合して蓋体部が開くことを阻止し、第２位置では蓋体部から離脱して蓋体部が開くことを許容するロック手段とを備え、
弾性連結部材が固定された蓋体部を機器本体部からスライドさせて前記弾性連結部材とともに第２位置まで移動させることで、弾性連結部材を介して蓋体部が機器本体部に対して開閉自在となるように構成したことを特徴とする蓋体装置。
【請求項２】
機器本体部に蓋体部の姿勢を検出する検出スイッチを設け、
弾性連結部材に、第１位置では検出スイッチに当接し、第１位置からスライドされた第２位置では検出スイッチから離反する凸部を設けたことを特徴とする請求項１に記載の蓋体装置。
【請求項３】
弾性連結部材は、外力が作用していない自然状態において第２位置である際に蓋体部が開扉姿勢となる角度をなすように成形されていることを特徴とする請求項１または２に記載の蓋体装置。
【請求項４】
弾性連結部材は平面視して略矩形枠形状とされ、機器本体部に、前記弾性連結部材の矩形枠内に挿入された位置規制部が設けられ、弾性連結部材が第１位置から第２位置側にスライドされた際に、前記位置規制部の端部のストッパ部に、弾性連結部材が当接して、前記第２位置側へのスライド位置が規制されることを特徴とする請求項１〜３の何れかに記載の蓋体装置。
【請求項５】
弾性連結部材の略中央部に薄肉のヒンジ部が形成され、蓋体部の開閉時にヒンジ部がたわむことを特徴とする請求項１〜４の何れかに記載の蓋体装置。
【請求項６】
蓋体部は、蓋体と、この蓋体の表面部を覆う蓋カバーとを有し、これらの蓋体と蓋カバーとにより弾性連結部材の一端側を挟持した状態で固定し、
機器本体部は、キャビネットと、このキャビネットの表面を覆うキャビネットカバーとを有し、前記キャビネットと前記キャビネットカバーとにより、弾性連結部材の他端側をスライド自在に挟持していることを特徴とする請求項１〜５の何れかに記載の蓋体装置。
【請求項７】
ロック手段は、
蓋体部における弾性連結部材配設側の一端部に設けられた係止部と、
前記係止部に係脱可能で、機器本体部における弾性連結部材配設側箇所近傍に形成された係止溝と、
蓋体部における他端部に設けられたロック爪と、
前記ロック爪に係脱自在で、機器本体部における蓋体部の他端部に臨む箇所に設けられたロック孔とから構成され、
前記弾性連結部材および蓋体部が第１位置にある際に、蓋体部の係止部が機器本体部の係止溝に係合して、蓋体部が機器本体部に対して浮くように移動することを阻止し、また、蓋体部のロック爪が機器本体部のロック孔に係合して、蓋体部が機器本体部に対して開方向に回転することを阻止するように構成されていることを特徴とする請求項１〜６の何れかに記載の蓋体装置。
【発明の詳細な説明】
【０００１】
【発明の属する技術分野】
本発明は、ポケッタブルラジオ、デジタルカメラ等、小型の電子機器に用いる電池蓋等の蓋体の開閉構造に関するものである。
【０００２】
【従来の技術】
小型の電子機器に用いる、電池蓋等の蓋体を備えた従来の蓋体装置としては、例えば、特許文献１に記載されたものがある。
【０００３】
図７〜図１０は、上記従来の蓋体装置を示すものである。これらの図に示すように、この蓋体装置では、樹脂製の蓋体２１の一端部裏面に突出する一対の保持足２１ａが一体形成され、これらの保持足２１ａが、キャビネット２２の中央部に形成した係止溝２２ａに貫挿されている。そして、閉扉状態においては、図９に示すように、蓋体２１の保持足２１ａの先端に形成された突起部２１ｂが、キャビネット２２の中央部から内側に突出するように形成された保持用リブ２２ｂのアーム保持凸部２２ｃに係合されている。また、この閉扉状態から蓋体２１をＡ方向にスライドさせて、図１０に示すように、蓋体２１の突起部２１ｂを、アーム保持凸部２２ｃを乗り越えさせることで、蓋体２１を回転させることができるように構成している。
【０００４】
また、閉扉状態においては、キャビネット２２の端部に形成したロック孔２２ｄに、蓋体２１の他端に形成したロック爪２１ｃが係合しており、蓋体２１に植設した駆動リブ２１ｇが電子機器本体２０に固定されたプリント基板２３上の検出スイッチ２４を駆動してＯＮ状態となるように構成されている。一方、蓋体２１が開けられた状態では、検出スイッチ２４を押圧するものがなくなるため、ＯＦＦ状態となって電子機器本体２０が駆動されなくなる。なお、図７における２６は電池である。
【０００５】
【特許文献１】
特開２００１−９７４２２号公報
【０００６】
【発明が解決しようとする課題】
しかしながら、このような従来の蓋体装置においては、以下のような課題がある。
【０００７】
すなわち、蓋体２１の電子機器本体２０との結合を保持足２１ａの樹脂のばね性に頼ったはめこみ方式を利用して行っているため、開扉状態では、蓋体２１がぶらぶらして品位が悪い上、強い力を加えると、蓋体２１の脱落、破損等がおこり、蓋体２１を紛失する危険もあった。この種の蓋体２１は、上述したように、検出スイッチ２４により蓋体２１の開閉状態を検出して電子機器の動作を規制もしくは解除する機能を有する場合が多く、蓋体２１の破損、紛失は電子機器の動作不能につながる恐れも内在していた。
【０００８】
また、保持足２１ａの構成上、蓋体２１の開扉角度を大きくとることが困難であり、内部の電池２６等の出し入れがやり難い欠点もあった。さらに、保持足２１ａの動作に大きなスペースを必要とし、電子機器の小型化、薄型化に障害となる課題もある。
【０００９】
更に、蓋体２１の裏面に設けた駆動リブ２１ｇにより検出スイッチ２４を押圧することで、蓋体２１の開閉状態を検出しているが、蓋体２１の厚み方向の回動操作によりＯＮ・ＯＦＦするため、蓋体２１の反りや浮き等の影響により駆動高さが安定せず、検出スイッチ２４の動作信頼性に問題があった。
【００１０】
本発明は上記欠点や問題などを解決するもので、開閉機構のためのスペースが少なく済み、脱落、破損がなく、内容物の出し入れが容易であり、開閉の品位感が良い上に、開閉の検出スイッチの動作信頼性に優れた蓋体装置を提供することを目的としてなされたものである。
【００１１】
【課題を解決するための手段】
上記課題を解決するために本発明の蓋体装置は、弾性連結部材を介して蓋体部と機器本体部とをスライドさせた状態で開閉自在となるように構成したものである。
【００１２】
これにより、電子機器の小型化、薄型化を図ることができながら、信頼性が高く、開閉操作がし易い上、品位に優れた蓋体装置が得られる。
【００１３】
【発明の実施の形態】
本発明の請求項１に記載の蓋体装置は、略薄肉板状で弾性を有する弾性連結部材と、この弾性連結部材の一端側が固定された蓋体部と、前記弾性連結部材の他端側を第１位置から第２位置までスライド自在に支持する機器本体部と、第１位置では蓋体部に係合して蓋体部が開くことを阻止し、第２位置では蓋体部から離脱して蓋体部が開くことを許容するロック手段とを備え、弾性連結部材が固定された蓋体部を機器本体部からスライドさせて前記弾性連結部材とともに第２位置まで移動させることで、弾性連結部材を介して蓋体部が機器本体部に対して開閉自在となるように構成したことを特徴としたものであり、略薄肉板状で弾性を有する弾性連結部材を介して蓋体部と機器本体部とを連結するように構成したので、弾性連結部材ならびにこの弾性連結部材を連結する構造に要する容積を極めて薄型、小型に収めることが可能となる上、蓋体部の脱落や破損がなく、弾性連結部材をたわませて開扉角度を十分大きくとることが可能となり、また、弾性連結部材は弾性を有する板形状であるので、弾性連結部材の幅方向に対してねじり剛性を有して、蓋体部の捩れを適度に抑えてぶらつき感を改善することができる。
【００１４】
請求項２に記載の発明は、請求項１に記載の蓋体装置において、機器本体部に蓋体部の姿勢を検出する検出スイッチを設け、弾性連結部材に、第１位置では検出スイッチに当接し、第１位置からスライドされた第２位置では検出スイッチから離反する凸部を設けたことを特徴としたものであり、凸部のスライド動作により検出スイッチを駆動するので、蓋体の反りや浮きなどの影響を受け難くなる。
【００１５】
請求項３に記載の発明は、請求項１または２に記載の蓋体装置において、弾性連結部材は、外力が作用していない自然状態において第２位置である際に蓋体部が開扉姿勢となる角度をなすように成形されていることを特徴としたものであり、開扉操作をすると、弾性連結部材の成形時のばね性により蓋体部が自然に開扉方向に開けられたり付勢されたりする。
【００１６】
請求項４に記載の発明は、請求項１〜３の何れかに記載の蓋体装置において、弾性連結部材は平面視して略矩形枠形状とされ、機器本体部に、前記弾性連結部材の矩形枠内に挿入された位置規制部が設けられ、弾性連結部材が第１位置から第２位置側にスライドされた際に、前記位置規制部の端部のストッパ部に、弾性連結部材が当接して、前記第２位置側へのスライド位置が規制されることを特徴としたものであり、弾性連結部材における略矩形枠形状の２つの辺となる箇所を介して蓋体部を機器本体部に対して安定して支持することができるとともに、弾性連結部材が第１位置から第２位置側にスライドされた際には、位置規制部のストッパ部が、弾性連結部材の前記２つの辺の間の部分に当接して、弾性連結部材および蓋体部の位置を安定して規制することができる。
【００１７】
請求項５に記載の発明は、請求項１〜４の何れかに記載の蓋体装置において、弾性連結部材の略中央部に薄肉のヒンジ部が形成され、蓋体部の開閉時にヒンジ部がたわむことを特徴としたものであり、弾性連結部材のヒンジ部を介して蓋体部を良好に開閉することができる。
【００１８】
請求項６に記載の発明は、請求項１〜５の何れかに記載の蓋体装置において、蓋体部は、蓋体と、この蓋体の表面部を覆う蓋カバーとを有し、これらの蓋体と蓋カバーとにより弾性連結部材の一端側を挟持した状態で固定し、機器本体部は、キャビネットと、このキャビネットの表面を覆うキャビネットカバーとを有し、前記キャビネットと前記キャビネットカバーとにより、弾性連結部材の他端側をスライド自在に挟持していることを特徴としたものであり、弾性連結部材に対して蓋体部を簡単な構造で確実に固定でき、また、機器本体部に弾性連結部材を簡単な構造で確実にスライド自在に支持することができる。
【００１９】
請求項７に記載の発明は、請求項１〜６の何れかに記載の蓋体装置において、ロック手段は、蓋体部における弾性連結部材配設側の一端部に設けられた係止部と、前記係止部に係脱可能で、機器本体部における弾性連結部材配設側箇所近傍に形成された係止溝と、蓋体部における他端部に設けられたロック爪と、前記ロック爪に係脱自在で、機器本体部における蓋体部の他端部に臨む箇所に設けられたロック孔とから構成され、前記弾性連結部材および蓋体部が第１位置にある際に、蓋体部の係止部が機器本体部の係止溝に係合して、蓋体部が機器本体部に対して浮くように移動することを阻止し、また、蓋体部のロック爪が機器本体部のロック孔に係合して、蓋体部が機器本体部に対して開方向に回転することを阻止するように構成されていることを特徴としたものであり、弾性連結部材および蓋体部を第１位置に位置させることで、蓋体部の係止部とロック爪とが機器本体部の係止溝とロック孔とに係合して、蓋体部を機器本体部に対して浮きなどがない状態で確実に閉扉状態に保持することができる一方、弾性連結部材および蓋体部を第２位置にスライドさせることで、蓋体部の係止部とロック爪とが機器本体部の係止溝とロック孔とから離脱して自由に開閉動作を行うことができる。
【００２０】
以下、本発明の実施の形態にかかる蓋体装置について、図１から図６を用いて説明する。
図１は本発明の実施の形態にかかる蓋体装置の背面図（詳しくは、蓋体装置のキャビネットカバーおよび蓋カバーを取り外した状態を示す背面図）、図２は同蓋体装置の図１のＩＩ−ＩＩ線から見た側面断面図、図３は同蓋体装置の図１のＩＩＩ−ＩＩＩ線から見た側面断面図、図４は同蓋体装置の弾性連結部材および蓋体部をスライドさせた状態を示す側面断面図、図５は同蓋体装置の弾性連結部材および蓋体部をスライドさせた状態を示す背面図（詳しくは、蓋体装置のキャビネットカバーおよび蓋カバーを取り外した状態を示す背面図）、図６は同蓋体装置の蓋体部を開けた状態を示す側面図であり、図２〜図４および図６は背面部を上方側に図示している。
【００２１】
図１〜図６における１は機器本体部、１０は機器本体部１の背面に開閉自在に取り付けられている蓋体部、１５は弾性を有する軟質樹脂で略薄肉板状に一体成形された弾性連結部材であり、蓋体部１０は、弾性連結部材１５を介して、機器本体部１に対してスライドした状態で開閉可能に取り付けられている。なお、この電子機器の例としては電子媒体録音装置があるが、これに限るものでない。
【００２２】
以下、この電子機器の蓋体部１０の支持構造などについて詳細に説明する。
機器本体部１には、表キャビネット２と、背面キャビネット３と、背面キャビネット３の表面を覆うように接着されるなどして組み付けられたキャビネットカバー４と、機器本体部１の内部に配設されたプリント基板５と、プリント基板５に取り付けられ、蓋体部１０の姿勢を検出する検出スイッチ６とが設けられ、電池７が収納される。
【００２３】
蓋体部１０は、弾性を有する樹脂で一体成形され、機器本体部１内における電池７の収納箇所を覆う蓋体１１と、この蓋体１１の表面を覆うように接着されるなどして組み付けられた蓋カバー１２とから構成されている。
【００２４】
弾性連結部材１５は平面視して略矩形枠形状とされ、弾性連結部材１５の中央部（後述する固定側辺部１５ｂとスライド側辺部１５ｄとを繋ぐ接続辺部１５ｆの中央部）には、薄肉のヒンジ部１５ａがそれぞれ２箇所ずつ形成されている。また、弾性連結部材１５の片側（固定側辺部１５ｂおよびその近傍部）には、固定用孔１５ｃが複数形成されている。そして、蓋体１１の段差部１１ｂから外面側に突出するように一体形成された固定ピン１１ａに、弾性連結部材１５の固定用孔１５ｃを挿入させた状態で、蓋体１１の段差部１１ｂと蓋カバー１２とにより弾性連結部材１５の一端側（固定側辺部１５ｂおよびその近傍部）を挟持した姿勢で固定している。なお、蓋体１１の固定ピン１１ａは、弾性連結部材１５を貫通して蓋カバー１２からも外部に少し突出している。
【００２５】
また、背面キャビネット３の一端側外面には、弾性連結部材１５の他端側（スライド側辺部１５ｄおよびその近傍部）を余裕を持ってスライド自在に収納する溝部３ａが形成され、この溝部３ａにスライド側辺部１５ｄが収納された状態で弾性連結部材１５が、背面キャビネット３とキャビネットカバー４とにより挟持された姿勢でＢ方向に沿って、図１〜図３に示すような第１位置から、図４、図５に示すような第２位置にわたってスライド自在に保持されている。さらに、背面キャビネット３には、弾性連結部材１５の矩形枠内に挿入された位置規制部３ｂが設けられ、弾性連結部材１５が第１位置から第２位置側にスライドされた際に、位置規制部３ｂの先端のストッパ部３ｃに、弾性連結部材１５が当接して、第２位置側へのスライド位置が規制されるように構成されている。
【００２６】
また、この蓋体装置には、第１位置では蓋体部１０に係合して蓋体部１０が開くことを阻止し、第２位置では蓋体部１０から離脱して蓋体部１０が開くことを許容するロック手段が設けられている。このロック手段は、蓋体１１における段差部１１ｂよりもさらに側方に突出する係止部１１ｃと、この係止部１１ｃに係脱可能で、背面キャビネット３の位置規制部３ｂに形成された係止溝３ｄと、蓋体１１における係止部１１ｃとは反対側の端部に設けられたロック爪１１ｄと、このロック爪１１ｄに側方から係脱自在で、表キャビネット２における端部に設けられたロック孔２ａとから構成されている。そして、弾性連結部材１５および蓋体部１０が第１位置にある際には、図２に示すように、蓋体１１の係止部１１ｃが背面キャビネット３の係止溝３ｄに裏面側より係合して、蓋体部１０が機器本体部１に対して浮くように移動することを阻止し、また、蓋体１１のロック爪１１ｄが表キャビネット２のロック孔２ａに側方から係合して、蓋体部１０が機器本体部１に対して開方向に回転することを阻止するように構成されている。
【００２７】
さらに、弾性連結部材１５における一方の接続辺部１５ｆには内側に突出する凸部１５ｇが一体形成されており、この凸部１５ｇは、弾性連結部材１５および蓋体部１０が第１位置にある場合には、図３に示すように、蓋体部１０の姿勢を検出する検出スイッチ６の検出端子に当接している。
【００２８】
また、弾性連結部材１５は、外力が作用していない自然状態において第２位置である際に、図６に示すように、蓋体部１０が開扉姿勢となる角度をなすように成形されており、この実施の形態では、ヒンジ部１５ａが開扉方向に約９０度折れ曲がった姿勢に成形されている。
【００２９】
以上のように構成された蓋体装置の動作について以下に説明する。
まず、弾性連結部材１５および蓋体部１０が第１位置にある場合には、閉扉状態となっており、蓋体１１の係止部１１ｃが背面キャビネット３の係止溝３ｄに係合し、また、蓋体１１のロック爪１１ｄが表キャビネット２のロック孔２ａに側方から係合している。これにより、蓋体部１０が機器本体部１に対して開動することがないだけでなく、蓋体部１０が機器本体部１に対して浮くことがないので、蓋体部１０の浮きなどがない高品位の状態で確実に閉扉状態に保持することができる。また、この第１位置にある閉扉状態では、弾性連結部材１５の凸部１５ｇが蓋体部１０の姿勢検出用の検出スイッチ６を押し、これにより検出スイッチ６はＯＮ状態となって、プリント基板５上の録音回路（図示せず）を動作可能モードにしている。
【００３０】
電池７を交換する際には、蓋カバー１２から突出する固定ピン１１ａに指を掛けて、蓋体部１０をＢ１方向（図４参照）に引いてスライドさせる。これにより、検出スイッチ６の検出端子から弾性連結部材１５の凸部１５ｇが離脱し、検出スイッチ６がＯＦＦ状態となって、録音回路が動作不可モードとなる。そして、この後、蓋体１１の係止部１１ｃが背面キャビネット３の係止溝３ｄから離脱するとともに、蓋体１１のロック爪１１ｄが表キャビネット２のロック孔２ａから離脱し、弾性連結部材１５が背面キャビネット３のストッパ部３ｃに当接するまでスライドし、弾性連結部材１５のヒンジ部１５ａが背面キャビネット３の外方に出て、蓋体部１０が自由に開閉できる状態になる。
【００３１】
この状態で、蓋体部１０を持ち上げると、ヒンジ部１５ａをたわませて蓋体部１０を１８０度近くまで開いた姿勢に開放でき、電池７を容易に取り出せる。この場合に、弾性連結部材１５は弾性を有する材料（この実施の形態では軟質樹脂）で成形されているため、強度が十分に取れ、開閉操作によって蓋体部１０が脱落したり破損したりすることを防止できる。また、弾性連結部材１５の幅方向に適度のねじれ剛性を付与できるため、蓋体部１０を解放した際に、ねじれてぶらぶらして低品位になることを防止できる。また、弾性連結部材１５を用いた構造により、蓋体部１０と機器本体１との連結に要するスペースは弾性連結部材１５の厚み分を確保すれば十分となり、連結構造として要する容積を極めて薄型、小型に収めることが可能となる。
【００３２】
さらに、弾性連結部材１５の成形形状を水平とはせず、ヒンジ部１５ａが開扉方向に約９０度折れ曲がった姿勢に成形されているので、蓋体部１０を第２位置までスライドさせると、ヒンジ部１５ａの成形によるばね性により自然に浮き上がり、電池７の脱着操作を極めて容易に行うことができる。なお、弾性連結部材１５としては、軟質樹脂材料により成形された場合を述べたが、これに限るものではなく、金属薄板のばね材料を用いても同様の作用効果を得ることができる。
【００３３】
また、検出スイッチ６に対して当接する弾性連結部材１５の凸部１５ｇが設けられている箇所は、表面側においてキャビネットカバー４に当接した状態でスライドするため、検出スイッチ６をスライドさせる際の高さが極めて安定し、この結果、万一、蓋体部１０が反りや浮き等を生じていた場合でも、検出スイッチ６により蓋体部１０の状態を良好に検知でき、信頼性が向上する。ここで、検出スイッチ６の機能としては録音動作時に不用意に電池７を取り出して、録音情報が毀損することを防止するために、開扉前に録音回路を動作不可モードに切り替えることであり、蓋体部１０が開放される直前に検出スイッチ６を切断することが要求され、駆動位置の正確さが重要となるため、上記構成が特に有用となる。
【００３４】
また、弾性連結部材１５における２つの接続辺部１５ｆを介して蓋体部１０を機器本体部１に対して安定して支持することができるとともに、弾性連結部材１５が第１位置から第２位置側にスライドされた際には、背面キャビネット３の位置規制部３ｂのストッパ部３ｃが、弾性連結部材１５のスライド側辺部１５ｄ、すなわち、弾性連結部材１５の２つの接続辺部１５ｆの中間位置に当接するため、弾性連結部材１５および蓋体部１０の位置を安定して規制することができる。
【００３５】
以上のように、上記構成によれば、狭小な隙間に弾性連結部材１５を配置して連結することで、連結箇所の強度を十分確保することができながら、蓋体部１０の開閉動作や、電池７の着脱動作の操作を容易かつ確実に行うことができ、操作品位も良好なものとなる。また、蓋体部１０の開閉状態を検出する検出スイッチ６の動作の信頼性も十分となり、ひいてはこの蓋体装置を用いる電子機器の信頼性も向上する。
【００３６】
【発明の効果】
以上のように本発明によれば、略薄肉板状で弾性を有する弾性連結部材を介して蓋体部と機器本体部とを連結するように構成したことにより、弾性連結部材ならびにこの弾性連結部材を連結する構造に要する容積を極めて薄型、小型に収めることが可能となって、電子機器の小型化、薄型化に貢献する上、蓋体部の脱落や破損がなくなって信頼性が向上し、弾性連結部材をたわませて開扉角度を十分大きくとることが可能となって利便性が向上し、また、弾性連結部材は弾性を有する板形状であるので、弾性連結部材の幅方向に対してねじり剛性を有して、蓋体部の捩れを適度に抑えてぶらつき感を改善することができて品質が向上する。
【００３７】
また、機器本体部に蓋体部の姿勢を検出する検出スイッチを設け、弾性連結部材に、第１位置では検出スイッチに当接し、第１位置からスライドされた第２位置では検出スイッチから離反する凸部を設けたことにより、開扉前に録音回路を動作不可モードに切り替えるなどの機能を得るための検出スイッチが、蓋体の反りや浮きなどの影響を受け難くなり、これによっても、信頼性が向上する。
【００３８】
さらに、弾性連結部材を、蓋体部が自然状態において開扉姿勢となるような角度をなすように成形することにより、開扉操作をすると、弾性連結部材の成形時のばね性により蓋体部が自然に開扉方向に開けられて、利便性が向上する。
【００３９】
また、弾性連結部材を平面視して略矩形枠形状に形成し、機器本体部に、弾性連結部材の矩形枠内に挿入された位置規制部を設け、弾性連結部材が第２位置側にスライドされた際に、前記位置規制部の端部のストッパ部に、弾性連結部材が当接してスライド位置が規制されるように構成することで、弾性連結部材により蓋体部を機器本体部に対して安定して支持することができるとともに、弾性連結部材および蓋体部のスライド位置を安定して規制することができる。
【図面の簡単な説明】
【図１】本発明の実施の形態にかかる蓋体装置の背面図で、蓋体装置のキャビネットカバーおよび蓋カバーを取り外した状態を示す。
【図２】同蓋体装置の図１のＩＩ−ＩＩ線から見た側面断面図である。
【図３】同蓋体装置の図１のＩＩＩ−ＩＩＩ線から見た側面断面図である。
【図４】同蓋体装置の弾性連結部材および蓋体部をスライドさせた状態を示す側面断面図である。
【図５】同蓋体装置の弾性連結部材および蓋体部を第２位置にスライドさせた状態を示す背面図であり、蓋体装置のキャビネットカバーおよび蓋カバーを取り外した状態を示す。
【図６】同蓋体装置の蓋体部を開けた状態を示す側面図である。
【図７】従来の蓋体装置の蓋体を取り外した状態を示す背面図である。
【図８】同従来の蓋体装置の側面図である。
【図９】同従来の蓋体装置の側面断面図で、蓋体を閉じた状態を示す。
【図１０】同従来の蓋体装置の側面断面図で、蓋体を開けた状態を示す。
【符号の説明】
１        機器本体部
２        表キャビネット
２ａ      ロック孔
３        背面キャビネット
３ａ      溝部
３ｂ      位置規制部
３ｃ      ストッパ部
３ｄ      係止溝
４        キャビネットカバー
５        プリント基板
６        検出スイッチ
７        電池
１０      蓋体部
１１      蓋体
１１ａ    固定ピン
１１ｂ    段差部
１１ｃ    係止部
１１ｄ    ロック爪
１２      蓋カバー
１５      弾性連結部材
１５ａ    ヒンジ部
１５ｂ    固定側辺部
１５ｃ    固定用孔
１５ｄ    スライド側辺部
１５ｆ    接続辺部
１５ｇ    凸部
【図１】
2004231191.tif 000003
【図２】
2004231191.tif 000004
【図３】
2004231191.tif 000005
【図４】
2004231191.tif 000006
【図５】
2004231191.tif 000007
【図６】
2004231191.tif 000008
【図７】
2004231191.tif 000009
【図８】
2004231191.tif 000010
【図９】
2004231191.tif 000011
【図１０】
2004231191.tif 000012